(57)【特許請求の範囲】
【請求項１】
指針を支持する指針部と前記指針部を搬送する略半円弧状又は楕円形状をした搬送部とを備えた指針移動装置と、中心近傍に開口部を有する半円板状の目盛板で塞がれるケース本体から成る収納ケースと、を有し、前記指針移動装置を前記収納ケース内に収納して前記指針が前記目盛板の目盛を指示するようにしたセンターレス指針式表示装置において、
前記指針部の上部と下部にそれぞれプーリを設け、
前記搬送部の前記縦コ字状のガイドレールの上下の脚部を前記指針部の上部と下部の各プーリで把持し、
前記搬送部が断面が縦コ字状をしたガイドレールと前記ガイドレールに沿って移動するワイヤを備え、かつ、前記指針部の中間部位に前記ワイヤを固定するワイヤホルダを設け、
前記ワイヤホルダはループに形成されたワイヤの前記ループを引掛ける引掛け爪を備え、前記引掛け爪に引掛けられた両ワイヤをそれぞれ反対方向に分離させるワイヤループ分岐部材を２個、前記引掛け爪の下方のワイヤ搬送方向に間隔をあけて備えたセンターレス指針式表示装置において、
前記ワイヤホルダは、さらに、前記ワイヤループ分岐部材で反対方向に互いに分離された両ワイヤをそれぞれ固定するためのテーパのついたワイヤ固定溝の形成された支持部材を２個、前記２個のワイヤループ分岐部材を挟んで外側にそれぞれ備えたものであることを特徴とするセンターレス指針式表示装置。
【請求項２】
前記指針部の上部と下部にそれぞれプーリを設けかつ前記上部のプーリと前記下部のプーリを結ぶ線上の前記指針部の中間部位に前記ワイヤを固定するワイヤホルダを設けたことを特徴とする請求項１記載のセンターレス指針式表示装置。
【発明の詳細な説明】
【技術分野】
【０００１】
本発明は、例えば自動車などの車両に搭載される指針式表示装置に関し、特に指針の回転中心をなくして開口部とし、指針だけが円弧上に移動するようにした、いわゆるセンターレス指針式表示装置に関する。
【背景技術】
【０００２】
指針の回転中心を開口部とし、指針だけが円弧上に移動するようなセンターレス指針式表示装置は、例えば特許文献１に記載されているものが知られている。
【０００３】
〈特許文献１記載の発明〉
特許文献１記載の発明は、歯列の並ぶ柔軟部材を用いないセンターレス指針式表示装置であって、指針を移動させる移動機構を、指針取付体に連結された柔軟部材と、柔軟部材の一端側が巻き付けられた第１プーリと、柔軟部材の他端側が巻き付けられた第２プーリと、第１プーリが柔軟部材を巻き取る方向に回転するように第１プーリを付勢する渦巻バネと、第２プーリを計測量に応じて回転させることにより、柔軟部材をその長手方向に沿って移動させるモータと、柔軟部材の移動軌跡を規定する複数のガイドプーリとで構成してなるものである。これによれば、指針部と搬送部との間の摩擦抵抗を小さくしたセンターレス指針式表示装置が得られる。
しかしながら、指針を移動機構の取付体に直に取り付けているので、指針を安定して走行させるには適当でなかった。
【０００４】
また、指針部と搬送部との間の摩擦抵抗を小さくし、かつ指針を安定して走行させることのできるセンターレス指針式表示装置が公知である（特許文献２参照）。
【先行技術文献】
【特許文献】
【０００５】
【特許文献１】特開２００９−４２０３４号公報
【特許文献２】特開２０１０−１０７５０４号公報
【０００６】
〈特許文献２記載の発明〉
図７〜図１１は特許文献２記載の発明に係るセンターレス指針式表示装置を説明する図である。
図７はセンターレス指針式表示装置の分解斜視図、図８は図７の指針移動装置を搬送する搬送部の斜視図、図９は図８の搬送部の分解斜視図である。
図７において、センターレス指針式表示装置１００は、大きく指針移動装置２００と指針移動装置２００を内部に収納固定する収納ケース３００とから成っている。そして、指針移動装置２００は指針部２１０と指針部２１０を搬送する搬送部２２０とから成り、収納ケース３００はケース本体３１０とケース本体３１０を塞ぐ目盛板３２０とから成っている。以下、ケース本体３１０と目盛板３２０と指針部２１０と搬送部２２０について説明する。
【０００７】
〈ケース本体３１０〉
ケース本体３１０は運転者側に半円状開口部３１０Ｋ（図７）を有するそれ自体が半円状をしたプラスチック製ケースで、内部空間の底部３１０Ｔの一端（図７で左端近傍）に指針移動装置２００を収納するためのテンション部品２２０Ｓ（図９）を収容する収容ケース２２０Ｃ（図８）を固定すると共に、底部３１０Ｔの他端（図７で右端近傍）にモータ２２０Ｍ（図８、図９）で正逆回転させられる巻き戻しプーリ２２０Ｐを固定している。
【０００８】
〈目盛板３２０〉
目盛板３２０はそれ自体半円状をしたプラスチック製薄板で、半円の中心から所定半径の半円状の開口３２０Ｋが開けられており、開口３２０Ｋの外周に目盛が円弧状に記載されている。図７はスピードメータの目盛例を示しており、０、２０、４０、・・・、１４０、１６０（ｋｍ／時間）の数字が略半円弧又は楕円形状にそれぞれ所定の間隔をあけて記載されている。目盛板３２０はケース本体３１０の半円状開口部３１０Ｋを塞ぐようにケース本体３１０に取り付けられる。開口３２０Ｋの内側空間には液晶表示器などが配置される。目盛板３２０の裏側にはガイドレール２２０Ｒ（図９）が配置される。
【０００９】
〈指針部２１０〉
《指針２１０Ｃの第１支持部材２１０Ａへの取り付け》
搬送部２２０（図８）の上を移動する指針部２１０は、図１０の分解斜視図および図１１の縦断面図から分かるように、第１支持部材２１０Ａと第２支持部材２１０Ｂとがコイルスプリング２１０Ｓを挟んで一体に嵌合された支持部材２１０Ｚと、第１支持部材２１０Ａに嵌合する指針２１０Ｃとから成っている。すなわち、第１支持部材２１０Ａの上部端面に片持ちアーム状の指針固定部２１０Ｋを形成し、一方、縦に長尺状をした指針２１０Ｃの長手方向の下端から上端に向かうに従って徐々に厚みが太くなる錐状に形成されたその上端幅広部に固定用開口部２１０Ｌを形成し、この固定用開口部２１０Ｌに指針固定部２１０Ｋが嵌合することで指針２１０Ｃが第１支持部材２１０Ａに、したがってまた支持部材２１０Ｚに、取り付けられる。さらに、第１支持部材２１０Ａの上部中央にワイヤ固定溝２１０Ｗ（図１１）が形成されており、指針部２１０の固定部（後述）に固定されたワイヤ２１０はこのワイヤ固定溝２１０Ｗに通されている。
したがってワイヤ２２０Ｗが搬送部２２０によって引き出されたり・巻き戻されることで、第１支持部材２１０Ａは、したがってまた指針部２１０は目盛板３２０（図７）の目盛の延在方向に沿って移動するようになる。
【００１０】
《指針部２１０のガイドレール２２０Ｒへの取り付け》
図１０は指針部の分解斜視図、図１１は図１０の指針移動装置の縦断面図である。
図１０および図１１から分かるように、第１支持部材２１０Ａの上部で指針固定部２１０Ｋの軸方向を挟んで前後にあるそれぞれのプーリ軸支持部２１０Ｑ１を介して上プーリ２１０Ｐ１、２０１Ｐ１がそれぞれ設けられ、また、第２支持部材２１０Ｂの下端には第１支持部材２１０Ａの指針固定部２１０Ｋの軸方向にプーリ軸支持部２１０Ｑ２を介して下プーリ２１０Ｐ２が設けられている。
また、第１支持部材２１０Ａにはコイルスプリング２１０Ｓの側面を一部収容する収容溝２１０Ｍａとコイルスプリング２１０Ｓの下部を押さえる当接部２１０Ｔａが形成されており、第２支持部材２１０Ｂにはコイルスプリング２１０Ｓの前記側面と反対側の側面を一部収容する収容溝２１０Ｍｂとコイルスプリング２１０Ｓの上部を押さえる当接部２１０Ｔｂが形成されている。
したがって、第１支持部材２１０Ａの収容溝２１０Ｍａと第２支持部材２１０Ｂの収容溝２１０Ｍｂ間にコイルスプリング２１０Ｓを収容し、かつ第１支持部材２１０Ａの当接部２１０Ｔａと第２支持部材２１０Ｂの当接部２１０Ｔｂとの間にコイルスプリング２１０Ｓの下部と上部を収容することで、コイルスプリング２１０Ｓに反発力が生じ、この反発力が第１支持部材２１０Ａを下方へ押し、かつ第２支持部材２１０Ｂを上方へ押すように作用し、その結果、上プーリ２１０Ｐ１と下プーリ２１０Ｐ２が常時互いに接近する方向に付勢されるようになる。
したがって、２個の上プーリ２１０Ｐ１の凹部と１個の下プーリ２１０Ｐ２の凹部間にガイドレール２２０Ｒの上下の凸部２２０Ｔ１、２２０Ｔ２を挟むことで、支持部材２１Ｚは、すなわち、指針部２１０はガイドレール２２０Ｒに確実に把持され、これにより指針部２１０は搬送部２２０の上を搬送されるようになる。
【００１１】
〈搬送部２２０〉
図７の搬送部２２０は、図８に示すように、ガイドレール２２０Ｒと、ガイドレール２２０Ｒの一長辺面に所定間隔をあけて設けられた複数のガイドプーリ２２０Ｇと、各ガイドプーリ２２０Ｇに亘って引き渡されるワイヤ２２０Ｗと、略半円弧又は楕円形状のガイドレール２２０Ｒの長さ方向の一端（図９で左側）に設けられて常時反円弧方向にテンションを加えるテンション部品２２０Ｓと、ガイドレール２２０Ｒの他端（図９で右側）に設けられた巻き戻しプーリ２２０Ｐと、巻き戻しプーリ２２０Ｐを正逆回転させるモータ２２０Ｍと、指針部２１０にある照明用ＬＥＤへ給電するための略半円弧又は楕円形状の導電部品２２０Ｌと、同じく導電部品２２０Ｌを覆うための導電部品カバー２２０Ｋとを備えている。  
【００１２】
《ガイドレール２２０Ｒの形状》
ガイドレール２２０Ｒは、長さ方向には略半円弧又は楕円形状をしており、その断面は細長い長方形（図１１）であり、その上下の短辺の中央部にそれぞれ凸部２２０Ｔ１、２２０Ｔ２を備えている。
《ワイヤ２２０Ｗの可動原理》
また、ワイヤ２２０Ｗの一端（図９で左側）をテンション部品２２０Ｓに結合してワイヤ２２０Ｗを常時反円弧方向に付勢すると共にワイヤ２２０Ｗの他端（図９で右側）を巻き戻しプーリ２２０Ｐに結合してモータ２２０Ｍの正回転によってワイヤ２２０Ｗを所望の長さだけテンション部品２２０Ｓ側から引き出し、またモータ２２０Ｍの逆回転によってワイヤ２２０Ｗを所望の長さだけテンション部品２２０Ｓによってテンション部品２２０Ｓ側へ巻き戻すことができるようにしている。
【００１３】
〈指針部２１０の搬送部２２０への取り付け〉
指針部２１０を搬送部２２０へ取り付けるには、図１１で説明したように、搬送部２２０のガイドレール２２０Ｒの上下にそれぞれ指針部２１０の２個の上プーリ２１０Ｐ１の凹部と１個の下プーリ２１０Ｐ２の凹部間にガイドレール２２０Ｒの上下の凸部２２０Ｔを挟むことで、支持部材２１０Ｚはガイドレール２２０Ｒに確実に取り付けられる。
【００１４】
〈特許文献２記載の発明の問題点〉
特許文献２記載の発明は、指針の指示ズレや、上プーリ・下プーリとガイドレール間の摺動摩擦の増加が問題であった。その原因を追及したところ、指針部のワイヤ固定溝に真下方向に発生する力と、指針部が支持されている部位がズレているためであることが分かった。先行発明の上記問題点が生じる原因について図１２を用いて説明する。
図１２は図１１の指針部に加わる力を説明する拡大斜視図である。
モータ２２０Ｍによるワイヤ２２０Ｗの巻き取りによって、指針部２１０のワイヤ固定溝２１０Ｗには、真下のＦａ方向に力が発生している。ところが、指針部２１０がガイドレール２２０Ｒに支持されている部位は、コイルスプリング２１０Ｓの張力Ｆｂ１によりガイドレール２２０Ｒに上プーリ２１０Ｐ１および下プーリ２１０Ｐ２を介して把持されている部位である。したがって、指針部２１０にＦａ方向の力を与えるワイヤ２２０Ｗの位置がガイドレール２２０Ｒと上プーリ２１０Ｐ１・下プーリ２１０Ｐ２に働く力Ｆｂ２の同一線上にないため、指針部２１０の指針２１０Ｃはガイドレール２２０Ｒの上プーリ２１０Ｐ１および下プーリ２１０Ｐ２による把持部を中心に回転力が生じて、Ｆｃの方向に傾くことになり、これが指針２１０Ｃの指示ズレおよび上プーリ２１０Ｐ１・下プーリ２１０Ｐ２とガイドレール２２０Ｒ間の摺動摩擦増加を引き起こすことが判明した。
【００１５】
〈先行発明〉
そこで、本出願人は特許文献２記載の発明の問題点を解決するために、先に発明を行った（以後、「先行発明」という。）。先行発明については、本発明の説明のところで、一緒に説明する。この先行発明によると、特許文献２記載の発明の問題点が解決できて、指針の指示ズレや、上プーリ・下プーリとガイドレール間の摺動摩擦が大幅に低減した。
【００１６】
〈先行発明の問題点〉
しかしながら、先行発明の表示装置を検証したところ、組み付け時にワイヤを固定用ボスに縛り付けて確実に固定していても、指針を駆動させている間に緩んでしまう恐れがあることが分かった。
【発明の概要】
【発明が解決しようとする課題】
【００１７】
本発明は、先行発明の問題点を解決するためになされたもので、指針を駆動させても決して緩むことのないワイヤの固定装置を提供することを目的としている。
【課題を解決するための手段】
【００１８】
上記問題点を解決するため、本願第１発明はセンターレス指針式表示装置に係り、指針を支持する指針部と前記指針部を搬送する略半円弧状又は楕円形状をした搬送部とを備えた指針移動装置と、中心近傍に開口部を有する半円板状の目盛板で塞がれるケース本体から成る収納ケースと、を有し、前記指針移動装置を前記収納ケース内に収納して前記指針が前記目盛板の目盛を指示するようにし、
前記指針部の上部と下部にそれぞれプーリを設け、
前記搬送部の前記縦コ字状のガイドレールの上下の脚部を前記指針部の上部と下部の各プーリで把持し、
前記搬送部が断面が縦コ字状をしたガイドレールと前記ガイドレールに沿って移動するワイヤを備え、かつ、前記指針部の中間部位に前記ワイヤを固定するワイヤホルダを設け、
前記ワイヤホルダはループに形成されたワイヤの前記ループを引掛ける引掛け爪を備え、前記引掛け爪に引掛けられた両ワイヤをそれぞれ反対方向に分離させるワイヤループ分岐部材を２個、前記引掛け爪の下方のワイヤ搬送方向に間隔をあけて備えたセンターレス指針式表示装置において、
前記ワイヤホルダは、さらに、前記ワイヤループ分岐部材で反対方向に互いに分離された両ワイヤをそれぞれ固定するためのテーパのついたワイヤ固定溝の形成された支持部材を２個、前記２個のワイヤループ分岐部材を挟んで外側にそれぞれ備えたものであることを特徴としている。
第２発明は、第１発明において、前記指針部の上部と下部にそれぞれプーリを設けかつ前記上部のプーリと前記下部のプーリを結ぶ線上の前記指針部の中間部位に前記ワイヤを固定するワイヤホルダを設けたことを特徴としている。
【発明の効果】
【００１９】
第１発明によれば、ワイヤのループを引掛けるようにした引掛け爪を備えたので、指針を駆動させても決して緩むことがない。
さらに、ワイヤループ分岐部材で揺るがないようにワイヤを分岐固定しているので、指針を駆動させてもさらに緩むことがない。
そして、テーパのついたワイヤ固定溝の形成された支持部材を用いているため、ワイヤが楕円形状になってワイヤ固定溝に食い込むようになるので、指針を駆動させてもさらに緩むことがない。
第２発明によれば、上記効果に加えて、さらに、指針の指示ズレや、上プーリ・下プーリとガイドレール間の摺動摩擦が大幅に低減できるようになる。
【図面の簡単な説明】
【００２０】
【図１】図１は先行発明に係るセンターレス指針式表示装置の要部である指針移動装置の斜視図である。
【図２】図２は図１の指針移動装置の分解斜視図である。
【図３】図３は図１の指針移動装置の縦断面図である。
【図４】図４はワイヤを指針部に固定する特許文献２記載の発明および先行発明の固定方法を説明する斜視図で、プーリ部分の拡大図である。
【図５】図５はワイヤを指針部に固定する本発明に係る固定方法を説明する図で、図５（Ａ）は指針部に形成されたワイヤホルダ近傍の斜視図、図５（Ｂ）はワイヤホルダの正面図である。
【図６】図６はワイヤを固定するためのワイヤループおよびその引掛け爪を説明する図で、図６（Ａ）はワイヤ支持部材の先端に形成されたフックの斜視図、図６（Ｂ）はフックの側面図、図６（Ｃ）はワイヤに形成されたループの平面図である。
【図７】図７は特許文献２記載の指針移動装置を備えたセンターレス指針式表示装置の分解斜視図である。
【図８】図８は図７の指針移動装置を搬送する搬送部の斜視図である。
【図９】図９は図８の搬送部の分解斜視図である。
【図１０】図１０は指針部の分解斜視図である。
【図１１】図１１は図１０の指針移動装置の縦断面図である。
【図１２】図１２は図１１の指針部に加わる力を説明する拡大斜視図である。
【発明を実施するための形態】
【００２１】
〈本発明に係るセンターレス指針式表示装置〉
本発明に係るセンターレス指針式表示装置は、特許文献２記載の発明および先行発明と同じく、ケース本体と目盛板と指針部と搬送部とから成っている。このうち、ケース本体は上述のケース本体（図７の３１０）と、目盛板は上述の目盛板（図７の３２０）と、搬送部は上述の搬送部（図７の２２０）と同じであるので説明を省略し、以下、指針部について説明する。
【００２２】
〈指針部２１〉
《指針２１Ｃの第１支持部材２１Ａへの取り付け》
図１は先行発明に係るセンターレス指針式表示装置の要部である指針移動装置の斜視図、図２は図１の指針移動装置の分解斜視図、図３は図１の指針移動装置の縦断面図である。搬送部２２上を移動する指針部２１は、第１支持部材２１Ａと第２支持部材２１Ｂとがコイルスプリング２１Ｓを挟んで一体に嵌合された支持部材２１Ｚ（図３）と、第１支持部材２１Ａに嵌合する指針２１Ｃとから成っている。すなわち、第１支持部材２１Ａの上部端面に片持ちアーム状の指針固定部２１Ｋを形成し、一方、縦に長尺状をした指針２１Ｃの長手方向の下端から上端に向かうに従って徐々に厚みが太くなる錐状に形成されたその上端幅広部に固定用開口部２１Ｌを形成し、この固定用開口部２１Ｌに指針固定部２１Ｋが嵌合することで指針２１Ｃが第１支持部材２１Ａに、したがってまた支持部材２１Ｚに取り付けられる。
【００２３】
《指針部２１０にワイヤ２２０Ｗを固定》
図４は特許文献２記載の発明および先行発明が採用していたワイヤの固定方法を説明する斜視図で、プーリ部分の拡大図である。図４において、指針部２１０の上プーリ２１０Ｐ１のプーリ軸支持部２１０Ｑ１にワイヤ２２０Ｗの固定用ボスＢを突設し、この固定用ボスＢにワイヤ２２０Ｗを縛り付けている。固定用ボスＢに縛り付けられたワイヤ２２０Ｗは、ワイヤ固定溝２１０Ｗを通って反対側にある上プーリ２１０Ｐ１の固定用ボスＢに縛り付けられた後、ガイドレール２２Ｒ（図１。図８の２２０Ｒと同一）に所定間隔をあけて設けられた複数のガイドプーリ２２０Ｇを通ってテンション部品収容ケース２２０Ｃに達し、他方、ワイヤ２２０Ｗの他端は同じくガイドレール２２Ｒに所定間隔をあけて設けられた複数のガイドプーリ２２０Ｇを通ってガイドレール２２Ｒの他端に設けられた巻き戻しプーリ２２０Ｐに達している。
このように、固定用ボスＢにワイヤ２２０Ｗを縛り付ける方法では、組み付け時にワイヤを固定用ボスに縛り付けて確実に固定していても、指針を駆動させている間に緩んでしまう恐れがあることが分かった。
【００２４】
《本発明に係るワイヤホルダ》
図５は図４のワイヤ固定方法の問題点を解決するためになされた本発明に係る固定方法を説明する図で、図５（Ａ）は指針部に形成されたワイヤホルダ近傍の斜視図、図５（Ｂ）はワイヤホルダの正面図である。ワイヤホルダは、ワイヤ支持部材２１Ｈと引っ掛け爪２１Ｎとワイヤループ分岐部材２１Ｄとから成る総称である。
以下、ワイヤ支持部材２１Ｈと、引っ掛け爪２１Ｎと、ワイヤループ分岐部材２１Ｄについて、順次説明する。
【００２５】
《ワイヤ支持部材２１Ｈ》
図５（Ａ）および（Ｂ）において、指針部２１の支持部材２１Ｚ（図１）を構成する第１支持部材２１Ａ（図１）の搬送部２２（図１）に面している側面において、ワイヤの搬送方向に間隔をあけて２箇所にワイヤ支持部材２１Ｈが突設されている。それぞれのワイヤ支持部材２１Ｈは、固定側から水平に延びたあと、先端に向けて急降下しその先端が上向きとなって、片持ち支持のフック２１Ｆを構成している。このフック２１Ｆの凹部が固定溝２１Ｗ（図３）となっている。
【００２６】
《引っ掛け爪２１Ｎ》
そして、２つのワイヤ支持部材２１Ｈの間の中央上部に、ワイヤループ（図６（ｃ））を引っ掛ける引っ掛け爪２１Ｎが上方に向けて突設している。
【００２７】
《ワイヤループ分岐部材２１Ｄ》
さらに、引っ掛け爪２１Ｎの下方の左右に、２つのワイヤ支持部材２１Ｈを結ぶ線上において２つのワイヤ支持部材２１Ｈの間に、ワイヤループ分岐部材２１Ｄ、２１Ｄが形成されている。ワイヤループ分岐部材２１Ｄ、２１Ｄは、引っ掛け爪２１Ｎに引っ掛けられたワイヤループから延びる両ワイヤをそれぞれ左右に分離させるためのもので、互いに対称の形状をしており、ワイヤループ分岐部材２１Ｄ、２１Ｄは、固定側から２個互いに間隔をあけて搬送部側に向かって厚肉の板状部材をした立設部材Ｄ１、Ｄ１が立設され、立設部材Ｄ１、Ｄ１の上部先端部分に、互いに向き合う方向に隙間Ｓ１をあけて第一延設部材Ｄ２、Ｄ２が延設され、かつ、立設部材Ｄ１、Ｄ１の下辺が、互いに向き合う方向に間隔をあけて第二延設部材Ｄ３、Ｄ３が延設されて成る。
【００２８】
《ワイヤループ分岐部材２１Ｄ、２１Ｄの機能》
引っ掛け爪２１Ｎに引っ掛けられたワイヤループ（図６（ｃ））から延びる両ワイヤを左右の第一延設部材Ｄ２、Ｄ２の間の隙間Ｓ１からワイヤループ分岐部材２１Ｄ、２１Ｄの内部空間Ｔ１に通して、その下方を第二延設部材Ｄ３、Ｄ３で互いに外向きに曲折させ、その後、ワイヤ支持部材２１Ｈの固定溝２１Ｗ（図３）を通過させる。
【００２９】
《ワイヤの固定》
図６はワイヤ２２Ｗを固定するためのワイヤループおよびその引掛け爪を説明する図で、図６（Ａ）はワイヤ支持部材２１Ｈの先端に形成されたフックの斜視図、図６（Ｂ）はフックの側面図、図６（Ｃ）はワイヤ２２Ｗに形成されたループの平面図である。図６（Ｃ）のように、ワイヤ２２Ｗの長さ方向の所定部位にループ２２Ｌを形成し、カシメ金属２２Ｋをループの接触する部位に取り付ける。
このループ２２Ｌを引っ掛け爪２１Ｎ（図５（Ａ））に引っ掛け、ループ２２Ｌの両端から延びるワイヤを纏めて下方のワイヤループ分岐部材２１Ｄ、２１Ｄに通し、その後、左右に分離させ、それぞれのワイヤ２２Ｗをワイヤ支持部材２１Ｈの先端のフックにある固定溝２１Ｗに通して、一方は、ガイドレール２２０Ｒ（図８参照）に所定間隔をあけて設けられた複数のガイドプーリ２２０Ｇを通ってテンション部品収容ケース２２０Ｃに達し、他方、ワイヤ２２Ｗの他端は同じくガイドレール２２０Ｒに所定間隔をあけて設けられた複数のガイドプーリ２２０Ｇを通ってガイドレール２２０Ｒの他端に設けられた巻き戻しプーリ２２０Ｐに達している。
【００３０】
《ワイヤ支持部材２１Ｈの固定溝２１Ｗの工夫》
固定溝２１Ｗは図６（Ａ）および（Ｂ）に示すように、下方に向けて溝の幅が次第に狭くなるようにテーパをつけている。したがって、指針部２１（図１）が駆動されて力が図６（Ｂ）の矢印方向に下方に働くと、ワイヤ２２Ｗは楕円形に潰れながら固定溝２１Ｗの狭い方に食い込んでいき、ますます固定が確実なものとなる。
【００３１】
《指針部２１のガイドレール２２Ｒへの取り付け》
図１〜図３から分かるように、第１支持部材２１Ａの上部で指針固定部２１Ｋの軸方向を挟んで前後にあるそれぞれのプーリ軸支持部２１Ｑ１を介して上プーリ２１Ｐ１、２１Ｐ１がそれぞれ設けられ、また、第２支持部材２１Ｂの下端には第１支持部材２１Ａの指針固定部２１Ｋの軸方向にプーリ軸支持部２１Ｑ２を介して下プーリ２１Ｐ２が設けられている。
また、第１支持部材２１Ａにはコイルスプリング２１Ｓの側面を一部収容する収容溝２１Ｍａとコイルスプリング２１Ｓの下部を押さえる当接部２１Ｔａが形成されており、第２支持部材２１Ｂにはコイルスプリング２１Ｓの前記側面と反対側の側面を一部収容する収容溝２１Ｍｂとコイルスプリング２１Ｓの上部を押さえる当接部２１Ｔｂが形成されている。
したがって、第１支持部材２１Ａの収容溝２１Ｍａと第２支持部材２１Ｂの収容溝２１Ｍｂ間にコイルスプリング２１Ｓを収容し、かつ第１支持部材２１Ａの当接部２１Ｔａと第２支持部材２１Ｂの当接部２１Ｔｂとの間にコイルスプリング２１Ｓの下部と上部を収容することで、コイルスプリング２１Ｓに反発力が生じ、この反発力が第１支持部材２１Ａを下方へ押し、かつ第２支持部材２１Ｂを上方へ押すように作用し、その結果、上プーリ２１Ｐ１と下プーリ２１Ｐ２が常時互いに接近する方向に付勢されるようになる。
したがって、２個の上プーリ２１Ｐ１の凹部と１個の下プーリ２１Ｐ２の凹部間にガイドレール２２Ｒの上下の凸部２２Ｔ１、２２Ｔ２を挟むことで、支持部材２１Ｚは、すなわち、指針部２１はガイドレール２２Ｒに確実に把持され、これにより指針部２１は搬送部２２の上を搬送されるようになる。
【００３２】
〈指針部２１の搬送部２２への取り付け〉
指針部２１を搬送部２２へ取り付けるには、図１〜図３に示すように、搬送部２２のガイドレール２２Ｒの上の凸部２２Ｔ１と下の凸部２２Ｔ２とにそれぞれ指針部２１の２個の上プーリ２１Ｐ１の凹部と１個の下プーリ２１Ｐ２の凹部とを嵌め込んで挟むことで、支持部材２１Ｚはガイドレール２２Ｒに確実に取り付けられる。
そして、ワイヤ２２Ｗが第１支持部材２１Ａに形成されたワイヤ固定溝２１Ｗ（図２、図３）に食い込み固定されているので、モータによる巻き戻しプーリ（図７の２２０Ｐと同一）の正逆回転によりワイヤ２２Ｗが所望の長さだけテンション部品収容ケース（図７の２２０Ｃと同一）側から引き出されたり、引き戻されたりする毎に、指針部２１は目盛板の目盛（図７の３２０と同一）の延在方向に沿って移動するようになる。
【００３３】
〈特許文献２記載の発明の問題点の解決〉
以上のように、本発明によれば、先行発明と同じく、指針部２１は、図３のように、縦コ字状のガイドレール２２Ｒの上面２点と下面１点の３点でプーリ２２Ｐ１、２２Ｐ１、２２Ｐ２を介してガイドレール２２Ｒを挟むように設置され、かつ指針部２１を牽引するワイヤ２２Ｗのワイヤ固定溝２１Ｗは縦コ字状のガイドレール２２Ｒの上面と下面を結ぶ線上に来るようにしているので、図３において、コイルバネ２１Ｓによる反発力Ｆｂ１'によりワイヤ２２Ｗのワイヤ固定溝２１Ｗに作用するＦａ'方向の力が、ガイドレール２２Ｒと上プーリ２１Ｐ・下プーリ２１Ｐ２に働く力Ｆｂ２'と同じ線上にあるので、指針部２１の指針２１Ｃには回転力が生じなくなる。したがって、先行発明で支点に対して作用点に働く力Ｆａが一直線上にないことから生じた指針部１０Ｃにおける回転力Ｆｃ（図１２）が、本発明によれば生じなくなり、よって指針２１Ｃの指示ズレがなくなり、および上プーリ２１Ｐ１・下プーリ２１Ｐ２とガイドレール２２Ｒ間の摺動摩擦増加がなくなった。
【００３４】
〈先行発明の問題点の解決〉
また、本発明では、ガイドレール２２Ｒに沿って移動する指針部２１は、図５のように、ワイヤ２２Ｗの所定部位に形成されたループ２２Ｌを、指針部２１の支持部材２１Ｚを構成する第１支持部材２１Ａ引っ掛け爪２１Ｎ（図５（Ａ））に引っ掛け、その両端を下方のポケット部に通した後、左右に分離させてそれぞれの支持部材２１Ｈの先端の固定溝２１Ｗに通すことで、ワイヤ２２Ｗと堅固に固定されるので、先行発明のようなワイヤが緩む恐れがなくなった。
【符号の説明】
【００３５】
２１      指針部
２１Ａ    第１支持部材
２１Ｂ    第２支持部材
２１Ｃ    指針
２１Ｄ    ワイヤループ分岐部材
２１Ｆ    フック
２１Ｈ    ワイヤ支持部材
２１Ｋ    指針固定部
２１Ｌ    固定用開口部
２１Ｍａ  収容溝
２１Ｍｂ  収容溝
２１Ｎ    引っ掛け爪
２１Ｐ１  上プーリ
２１Ｐ２  下プーリ
２１Ｑ２  プーリ軸支持部
２１Ｑ１  プーリ軸支持部
２１Ｓ    コイルスプリング
２１Ｔａ  当接部
２１Ｔｂ  当接部
２１Ｗ    固定溝
２１Ｚ    支持部材
２２      搬送部
２２Ｋ    カシメ金属
２２Ｌ    ループ
２２Ｒ、２２０Ｒ  ガイドレール
２２Ｗ    ワイヤ
２２Ｇ、２２０Ｇ  ガイドプーリ
２２０Ｐ  巻き戻しプーリ
Ｄ１    立設部材
Ｄ２    第一延設部材
Ｄ３    第二延設部材
Ｓ１    隙間
Ｔ１    内部空間
【図１】
0005656597.tif 000002
【図２】
0005656597.tif 000003
【図３】
0005656597.tif 000004
【図４】
0005656597.tif 000005
【図５】
0005656597.tif 000006
【図６】
0005656597.tif 000007
【図７】
0005656597.tif 000008
【図８】
0005656597.tif 000009
【図９】
0005656597.tif 000010
【図１０】
0005656597.tif 000011
【図１１】
0005656597.tif 000012
【図１２】
0005656597.tif 000013